(57)【要約】【課題】容易な操作で携帯端末装置のカメラを拡大鏡として利用する。【解決手段】拡大鏡スイッチ兼焦点切替部２１１が、撮像部１１２と被写体との焦点距離を通常撮影用の焦点距離から接写撮影用の焦点距離に切り替え、この切り替えに応じて、拡大鏡スイッチ兼焦点切替部２１１が撮影モードを接写モードに切り替え、制御部２３０が補助光となるライト１０６を点灯し、撮像部１１２が撮影映像の表示部１０５への出力を開始し、ズーム処理部１１３が撮像部１１２から出力される映像をデジタルズームで拡大し、さらに、フレームレート制御部２４０が撮影映像のフレームレートを固定し、画像処理部２１４が撮影映像の加工処理を行う。【選択図】        図１
2008005395.tif 000002
【特許請求の範囲】
【請求項１】
被写体を撮影する撮像装置と、該撮像装置により撮影された画像を表示するディスプレイとを備えた携帯端末装置であって、
前記撮像装置と前記被写体との焦点距離を第一の焦点距離から第二の焦点距離に、あるいは第二の焦点距離から第一の焦点距離に切り替える焦点切替手段と、
前記焦点切替手段による焦点距離の切り替えに応じて、前記ディスプレイに表示される画像の表示倍率を変更する表示倍率変更手段と、
を備えたことを特徴とする携帯端末装置。
【請求項２】
前記表示倍率変更手段は、前記焦点切替手段により前記焦点距離が第一の焦点距離から第二の焦点距離に切り替えられた際に、前記ディスプレイに表示される画像の表示倍率を拡大することを特徴とする請求項１に記載の携帯端末装置。
【請求項３】
前記表示倍率変更手段は、前記焦点切替手段により前記焦点距離が第一の焦点距離から第二の焦点距離に切り替えられた際に、前記ディスプレイに表示される画像の表示倍率を縮小することを特徴とする請求項１に記載の携帯端末装置。
【請求項４】
前記焦点切替手段により前記焦点距離が第一の焦点距離から第二の焦点距離に切り替えられた際に、前記ディスプレイに表示される画像のフレームレートを所定のレート値以上になるように制御するフレームレート制御手段をさらに備えたことを特徴とする請求項１、２または３に記載の携帯端末装置。
【請求項５】
前記焦点切替手段により前記焦点距離が第一の焦点距離から第二の焦点距離に切り替えられた際に、前記ディスプレイに表示される画像を加工する画像処理手段をさらに備えたことを特徴とする請求項１〜４のいずれか一つに記載の携帯端末装置。
【請求項６】
前記焦点切替手段により前記焦点距離が第一の焦点距離から第二の焦点距離に切り替えられた際に、前記撮像装置を用いて前記ディスプレイに表示された画像を拡大する拡大鏡機能か、接写撮影機能か、または二次元コードリーダー機能かのいずれかを利用者が選択するための機能選択手段をさらに備え、
前記表示倍率変更手段は、前記機能選択手段により利用者が拡大鏡機能を選択した場合に、前記ディスプレイに表示される画像の表示倍率を変更することを特徴とする請求項２に記載の携帯端末装置。
【請求項７】
前記焦点切替手段により前記焦点距離が第一の焦点距離から第二の焦点距離に切り替えられた後に、前記撮像装置により撮影されている画像が所定の測定時間内で変化しているか否かを検出する時間変化検出手段と、
前記時間変化検出手段により、前記撮像装置により撮影されている画像が前記測定時間内で変化していないことが検出された場合に、省電力状態に切り替える省電力設定手段と、
をさらに備えたことを特徴とする請求項１〜６のいずれか一つに記載の携帯端末装置。
【請求項８】
被写体を撮影する撮像装置と、該撮像装置により撮影された画像を表示するディスプレイとを備えた携帯端末装置の制御装置であって、
前記撮像装置と前記被写体との焦点距離を第一の焦点距離から第二の焦点距離に、あるいは第二の焦点距離から第一の焦点距離に切り替える焦点切替手段と、
前記焦点切替手段による焦点距離の切り替えに応じて、前記ディスプレイに表示される画像の表示倍率を変更する表示倍率変更手段と、
を備えたことを特徴とする携帯端末装置の制御装置。
【請求項９】
被写体を撮影する撮像装置と、該撮像装置により撮影された画像を表示するディスプレイとを備えた携帯端末装置の制御方法であって、
焦点切替手段を操作することにより前記撮像装置と前記被写体との焦点距離を第一の焦点距離または第二の焦点距離のいずれかに切り替える焦点切替工程と、
前記焦点切替工程による焦点距離の切り替えに応じて、前記ディスプレイに表示される画像の表示倍率を変更する表示倍率変更工程と、
を含んだことを特徴とする携帯端末装置の制御方法。
【請求項１０】
被写体を撮影する撮像装置と、該撮像装置により撮影された画像を表示するディスプレイとを備えた携帯端末装置の制御プログラムあって、
前記撮像装置と前記被写体との焦点距離を第一の焦点距離から第二の焦点距離に、あるいは第二の焦点距離から第一の焦点距離に切り替える焦点切替手順と、
前記焦点切替手順による焦点距離の切り替えに応じて、前記ディスプレイに表示される画像の表示倍率を変更する表示倍率変更手順と、
を前記携帯端末装置に実行させることを特徴とする携帯端末装置の制御プログラム。
【発明の詳細な説明】
【技術分野】
【０００１】
この発明は、被写体を撮影する撮像装置と、撮像装置により撮影された画像を表示するディスプレイとを備えた携帯端末装置、携帯端末装置の制御装置、制御方法および制御プログラムに関し、特に、容易な操作で撮像装置を拡大鏡等として利用できる携帯端末装置、携帯端末装置の制御装置、制御方法および制御プログラムに関するものである。
【背景技術】
【０００２】
近年、携帯電話やＰＤＡ（Personal Digital Assistant）などの携帯端末装置は、接写機能およびズーム機能を有するカメラ（撮像装置）を備えたものが広く普及している。そして、このようなカメラで新聞等の紙面の小さな文字を撮影し、拡大してディスプレイに表示することによって、携帯端末装置において拡大鏡（虫眼鏡）機能を実現する技術が考案されている（例えば、特許文献１および２参照。）。この技術により、視力が衰えつつあるシニアユーザ等が携帯電話等を用いて小さな文字を読むことが可能となる。
【０００３】
図７は、カメラを備えた従来の携帯電話の構成を示す機能ブロック図である。同図に示す携帯電話１００は、各種操作を行うためのキーボード１０１と、通話時に相手の音声を出力するレシーバー１０２と、通話時や通信時に電波信号を送受信するアンテナ１０３と、利用者の音声を入力するマイク１０４と、各種情報を表示する表示部１０５と、撮影時に被写体を照光するためのライト１０６と、カメラ部１１０と、電波信号の送受信を制御する通信部１２０と、各機能部を制御する制御部１３０とを有している。
【０００４】
カメラ部１１０は、被写体を撮影するための機能部であり、焦点切替部１１１と、撮像部１１２と、ズーム処理部１１３とを有している。焦点切替部１１１は、図示していないレンズの位置を移動することによって撮像部１１２と被写体との焦点距離を光学的に変化させ、撮影モードを通常モードから近距離撮影用の接写モードに切り替えるための手段である。撮像部１１２は、被写体を撮影するカメラである。ズーム処理部１１３は、撮像部１１２が撮影した映像をソフトウェアによりデジタル的に拡大／縮小する、デジタルズームと呼ばれる処理を行うための手段である。
【０００５】
かかる携帯電話１００のカメラ（撮像部１１２）を拡大鏡として利用する場合には、利用者は、まずは、焦点切替部１１１を操作して撮影モードを接写モードに切り替え、その上で、撮像部１１２が捉えている映像を表示部１０５で確認する。さらに、利用者は、表示部に出力されている映像を確認しながら、ズーム処理部１１３を操作してズーム倍率を数倍程度に変更し、表示部１０５に出力される映像を視認しやすい大きさになるように調整する。これらの操作により、利用者は、新聞等の小さな文字の被写体を拡大して閲覧することが可能になる。
【０００６】
【特許文献１】特開２００２−３７４４５０号公報
【特許文献２】特開２００４−１５３４０７号公報
【発明の開示】
【発明が解決しようとする課題】
【０００７】
しかしながら、上述した従来の携帯端末装置において拡大鏡機能を利用する場合には、利用者は、撮影モードを切り替えたうえで、さらにズーム倍率を変更して、映像を視認しやすい大きさに調整するという煩雑な操作が必要であるため、使い勝手が悪いという問題があった。
【０００８】
この発明は、上述した従来技術による問題点を解消するためになされたものであり、容易な操作で撮像装置を拡大鏡等として利用できる携帯端末装置、携帯端末装置の制御装置、制御方法および制御プログラムを提供することを目的とする。
【課題を解決するための手段】
【０００９】
上述した課題を解決し、目的を達成するため、本発明は、被写体を撮影する撮像装置と、該撮像装置により撮影された画像を表示するディスプレイとを備えた携帯端末装置であって、前記撮像装置と前記被写体との焦点距離を第一の焦点距離から第二の焦点距離に、あるいは第二の焦点距離から第一の焦点距離に切り替える焦点切替手段と、前記焦点切替手段による焦点距離の切り替えに応じて、前記ディスプレイに表示される画像の表示倍率を変更する表示倍率変更手段と、を備えたことを特徴とする。
【００１０】
また、本発明は、上記の発明において、前記表示倍率変更手段は、前記焦点切替手段により前記焦点距離が第一の焦点距離から第二の焦点距離に切り替えられた際に、前記ディスプレイに表示される画像の表示倍率を拡大することを特徴とする。
【００１１】
また、本発明は、上記の発明において、前記表示倍率変更手段は、前記焦点切替手段により前記焦点距離が第一の焦点距離から第二の焦点距離に切り替えられた際に、前記ディスプレイに表示される画像の表示倍率を縮小することを特徴とする。
【００１２】
また、本発明は、上記の発明において、前記焦点切替手段により前記焦点距離が第一の焦点距離から第二の焦点距離に切り替えられた際に、前記ディスプレイに表示される画像のフレームレートを所定のレート値以上になるように制御するフレームレート制御手段をさらに備えたことを特徴とする。
【００１３】
また、本発明は、上記の発明において、前記焦点切替手段により前記焦点距離が第一の焦点距離から第二の焦点距離に切り替えられた際に、前記ディスプレイに表示される画像を加工する画像処理手段をさらに備えたことを特徴とする。
【００１４】
また、本発明は、上記の発明において、前記焦点切替手段により前記焦点距離が第一の焦点距離から第二の焦点距離に切り替えられた際に、前記撮像装置を用いて前記ディスプレイに表示された画像を拡大する拡大鏡機能か、接写撮影機能か、または二次元コードリーダー機能かのいずれかを利用者が選択するための機能選択手段をさらに備え、前記表示倍率変更手段は、前記機能選択手段により利用者が拡大鏡機能を選択した場合に、前記ディスプレイに表示される画像の表示倍率を変更することを特徴とする。
【００１５】
また、本発明は、上記の発明において、前記焦点切替手段により前記焦点距離が第一の焦点距離から第二の焦点距離に切り替えられた後に、前記撮像装置により撮影されている画像が所定の測定時間内で変化しているか否かを検出する時間変化検出手段と、前記時間変化検出手段により、前記撮像装置により撮影されている画像が前記測定時間内で変化していないことが検出された場合に、省電力状態に切り替える省電力設定手段と、をさらに備えたことを特徴とする。
【００１６】
また、本発明は、被写体を撮影する撮像装置と、該撮像装置により撮影された画像を表示するディスプレイとを備えた携帯端末装置の制御装置であって、前記撮像装置と前記被写体との焦点距離を第一の焦点距離から第二の焦点距離に、あるいは第二の焦点距離から第一の焦点距離に切り替える焦点切替手段と、前記焦点切替手段による焦点距離の切り替えに応じて、前記ディスプレイに表示される画像の表示倍率を変更する表示倍率変更手段と、を備えたことを特徴とする。
【００１７】
また、本発明は、被写体を撮影する撮像装置と、該撮像装置により撮影された画像を表示するディスプレイとを備えた携帯端末装置の制御方法であって、焦点切替手段を操作することにより前記撮像装置と前記被写体との焦点距離を第一の焦点距離または第二の焦点距離のいずれかに切り替える焦点切替工程と、前記焦点切替工程による焦点距離の切り替えに応じて、前記ディスプレイに表示される画像の表示倍率を変更する表示倍率変更工程と、を含んだことを特徴とする。
【００１８】
また、本発明は、被写体を撮影する撮像装置と、該撮像装置により撮影された画像を表示するディスプレイとを備えた携帯端末装置の制御プログラムあって、前記撮像装置と前記被写体との焦点距離を第一の焦点距離から第二の焦点距離に、あるいは第二の焦点距離から第一の焦点距離に切り替える焦点切替手順と、前記焦点切替手順による焦点距離の切り替えに応じて、前記ディスプレイに表示される画像の表示倍率を変更する表示倍率変更手順と、を前記携帯端末装置に実行させることを特徴とする。
【発明の効果】
【００１９】
本発明によれば、撮像装置と被写体との焦点距離を第一の焦点距離から第二の焦点距離に、あるいは第二の焦点距離から第一の焦点距離に切り替え、この切り替えに応じて、ディスプレイに表示される画像の表示倍率を変更するので、ディスプレイに表示された画像を、利用者がワンタッチの容易な操作で拡大したり縮小したりすることが可能になり、撮像装置を拡大鏡等として容易に利用することができるという効果を奏する。また、これにより、煩雑な操作を敬遠するユーザにとってカメラ付きの携帯端末装置の利用価値を向上することができるという効果を奏する。
【００２０】
また、本発明によれば、焦点距離が第一の焦点距離から第二の焦点距離に切り替えられた際に、ディスプレイに表示される画像の表示倍率を拡大するので、利用者がワンタッチの操作で容易に撮像装置を拡大鏡として利用することができるという効果を奏する。また、これにより、視力の衰えにより拡大鏡を利用しないと小さな字が読みづらいシニアユーザ等にとってカメラ付きの携帯端末装置の利用価値を向上することができるという効果を奏する。
【００２１】
また、本発明によれば、焦点距離が第一の焦点距離から第二の焦点距離に切り替えられた際に、ディスプレイに表示される画像の表示倍率を縮小するので、通常の利用時に比べて広い範囲の映像を表示部１０５に出力することが可能になり、例えば、撮影したい被写体の映像が表示部１０５に納まりきらなかった場合などに、利用者がワンタッチの操作で被写体の広い範囲を表示および撮影できるという効果を奏する。
【００２２】
また、本発明によれば、焦点距離が第一の焦点距離から第二の焦点距離に切り替えられた際に、ディスプレイに表示される画像のフレームレートを所定のレート値以上になるように制御するので、安定した映像がディスプレイに表示され、撮像装置を拡大鏡として利用する際の操作性を向上することができるという効果を奏する。
【００２３】
また、本発明によれば、焦点距離が第一の焦点距離から第二の焦点距離に切り替えられた際に、ディスプレイに表示される画像を加工するので、例えば、高周波領域を強調したり、コントラストを調整することによって、視認性の高い映像をディスプレイに表示することが可能になり、カメラを拡大鏡として利用する際の利便性を向上することができるという効果を奏する。
【００２４】
また、本発明によれば、焦点距離が第一の焦点距離から第二の焦点距離に切り替えられた際に、撮像装置を用いてディスプレイに表示された画像を拡大する拡大鏡機能か、接写撮影機能か、または二次元コードリーダー機能かのいずれかを利用者が選択できるようにし、利用者が拡大鏡機能を選択した場合に、ディスプレイに表示される画像の表示倍率を変更するので、撮像装置を用いて実現される各種機能を、利用者が容易な操作で利用できるという効果を奏する。
【００２５】
また、本発明によれば、焦点距離が第一の焦点距離から第二の焦点距離に切り替えられた後に、撮像装置により撮影されている画像が所定の測定時間内で変化しているか否かを検出し、撮像装置により撮影されている画像が前記測定時間内で変化していないことを検出した場合に、省電力状態に切り替えるので、利用者が携帯電話の拡大鏡機能としての利用をやめた場合に、自動的に携帯電話の消費電力を抑制することができるという効果を奏する。
【発明を実施するための最良の形態】
【００２６】
以下に添付図面を参照して、この発明に係る携帯端末装置、携帯端末装置の制御装置、制御方法および制御プログラムの好適な実施例を詳細に説明する。なお、以下では、本発明を、カメラを備えた携帯電話に適用した場合を説明する。また、以下では、「第一の焦点距離」を通常撮影用の焦点距離とし、「第二の焦点距離」を接写撮影用の焦点距離とした場合を中心に説明する。
【実施例１】
【００２７】
まず、本実施例１に係る携帯電話の構成について説明する。図１は、本実施例１に係る携帯電話の構成を示す機能ブロック図である。同図に示すように、この携帯電話２００は、各種操作を行うためのキーボード１０１と、通話時に相手の音声を出力するレシーバー１０２と、通話時や通信時に電波信号を送受信するアンテナ１０３と、利用者の音声を入力するマイク１０４と、各種情報を表示するディスプレイである表示部１０５と、撮影時に被写体を照光するためのライト１０６と、サブ表示部２０７と、被写体を撮影するカメラ部２１０と、電波信号の送受信を制御する通信部１２０と、各機能部を制御する制御部２３０と、フレームレート制御部２４０とを有する。
【００２８】
ここで、ライト１０６は、携帯電話２００のカメラが拡大鏡として用いられる場合に補助照光としての役目を果たすものであり、これにより、例えば、暗所で携帯電話２００が用いられる場合や、被写体にレンズを近づけることによって携帯電話２００自身で外光が遮られてしまう場合でも、十分な照明光を与えつつ被写体を撮影することができる。
【００２９】
サブ表示部２０７は、表示部１０５と同様、各種情報を表示するＬＣＤ（Liquid Crystal Display）などのディスプレイであり、例えば、携帯電話２００を操作するためのメニューや、着信やメール受信を利用者に通知するためのアイコンなどを表示する。
【００３０】
カメラ部２１０は、被写体を撮影するための機能部であり、拡大鏡スイッチ兼焦点切替部２１１と、撮像部１１２と、ズーム処理部１１３と、画像処理部２１４とを有する。
【００３１】
拡大鏡スイッチ兼焦点切替部２１１は、図示していないレンズの位置を移動することによって撮像部１１２と被写体との焦点距離を変化させ、撮影モードを通常モードから近距離撮影用の接写モードに切り替えるとともに、携帯電話２００のカメラを拡大鏡として利用可能な状態（以下、「拡大鏡利用状態」と呼ぶ）にするための指示を行なう手段である。
【００３２】
具体的には、この拡大鏡スイッチ兼焦点切替部２１１は、例えば、スライド式のスイッチなど、通常利用状態と拡大鏡利用状態の少なくとも二つの状態を切り替えることが可能なスイッチである。そして、拡大鏡スイッチ兼焦点切替部２１１は、機械的にレンズに結合されており、利用者によって通常利用状態から拡大鏡利用状態に切り替えるように操作された場合には、その操作に連動し、被写体と撮像部１１２との距離を近距離撮影用の所定の焦点距離になるようにレンズの位置を移動する。また、これと同時に、拡大鏡スイッチ兼焦点切替部２１１は、制御部２３０に対して拡大鏡モードの設定を指示する。
【００３３】
一方、拡大鏡利用状態から通常利用状態に切り替えられた場合には、拡大鏡スイッチ兼焦点切替部２１１は、被写体と撮像部１１２との距離が通常撮影用の所定の焦点距離となるようにレンズの位置を移動するとともに、制御部２３０に対して拡大鏡モードの解除を指示する。
【００３４】
撮像部１１２は、被写体を撮影するカメラである。ズーム処理部１１３は、撮像部１１２が撮影した映像をソフトウェアによりデジタル的に拡大／縮小する、デジタルズームと呼ばれる処理を行う処理部である。
【００３５】
画像処理部２１４は、表示部１０５に表示される映像について、文字が見やすくなるように加工を行う処理部である。具体的には、この画像処理部２１４は、拡大鏡スイッチ兼焦点切替部２１１の動作に合わせてズーム処理部１１３から出力される映像について、高周波領域を強調したり、コントラストを調整することによって、利用者が文字を見やすくなるように加工を行う。
【００３６】
ここで、画像処理部２１４が、撮影された映像について、文字が見やすくなるように加工を行うことによって、視認性の高い映像をディスプレイに表示し、カメラを拡大鏡として利用する際の利便性を向上することができる。
【００３７】
フレームレート制御部２４０は、撮像部１１２に対して、表示部１０５に出力する映像のフレームレートを所定のレート値に固定する指示を行う処理部である。カメラが拡大鏡として利用される場合には、携帯電話２００は、利用者によって、被写体となる文字をレンズで追うように移動される。この時、撮像部１１２が出力する映像のフレームレートが低いと、かかる映像が表示部１０５に円滑に表示されず、拡大鏡としての携帯電話２００の操作性が著しく低下する。
【００３８】
一般的に、拡大鏡としての良好な操作性を実現するためには、フレームレートを１５ｆｐｓ〜３０ｆｐｓ程度の一定のレート値以上に保つ必要があることが知られている。そこで、フレームレート制御部２４０は、撮像部１１２に対して、出力する映像のフレームレートを、１５ｆｐｓ〜３０ｆｐｓの範囲内で決定した所定のレート値に固定するように指示する。例えば、フレームレート制御部２４０は、撮像部１１２に対して、出力する映像のフレームレートを３０ｆｐｓに固定するように指示する。
【００３９】
ここで、フレームレート制御部２４０が、撮像部１１２に対して、出力する映像のフレームレートを所定のレート値に固定するように指示することによって、安定した映像が表示部１０５に表示され、携帯電話２００のカメラを拡大鏡として利用する際の操作性を向上することができる。
【００４０】
なお、ここではフレームレート制御部２４０が、撮像部１１２に対して、フレームレートを所定のレート値に固定するよう指示することとしたが、所定のレート値以上に保つように指示することとしてもよい。例えば、フレームレート制御部２４０は、撮像部１１２に対して、出力する映像のフレームレートを１５ｆｐｓ以上に保つように指示する。
【００４１】
制御部２３０は、携帯電話２００全体の制御を行う処理部であり、具体的には、機能部間の制御の移動やデータの受け渡し、アプリケーションの起動および停止などを行うことによって、携帯電話２００を一つの装置として機能させる。特に本発明に密接に関連して行う処理として、制御部２３０は、拡大鏡スイッチ兼焦点切替部２１１から拡大鏡モードの設定を指示されると、ライト１０６を点灯するとともに、撮像部１１２を制御して、撮影映像のズーム処理部１１３への内部出力を開始する。
【００４２】
これと同時に、制御部２３０は、フレームレート制御部２４０を制御して、撮像部１１２からズーム処理部１１３に出力される撮影映像のフレームレートを所定のレート値に固定する。続いて、制御部２３０は、ズーム処理部１１３を制御して、撮像部１１２が撮影した映像を所定のズーム倍率に拡大し、拡大された撮影映像を画像処理部２１４に出力する。さらに、制御部２３０は、画像処理部２１４を制御して、ズーム処理部１１３が拡大した撮影映像の加工処理を行い、加工後の撮影映像を表示部１０５に出力する。
【００４３】
一方、拡大鏡スイッチ兼焦点切替部２１１から拡大鏡モードの解除を指示されると、制御部２３０は、ライト１０６を消灯し、撮像部１１２を制御して、撮影映像のズーム処理部１１３への出力を停止し、フレームレート制御部２４０を制御して、撮像部１１２からズーム処理部１１３に出力される映像のフレームレートを通常時のレート値に戻し、ズーム処理部１１３を制御して、画像処理部２１４に出力される撮影映像を通常時のズーム倍率に戻し、さらに、画像処理部２１４を制御して、表示部１０５に出力される撮影映像の加工処理を停止する。
【００４４】
このように、拡大鏡スイッチ兼焦点切替部２１１が拡大鏡利用状態に切り替えられたことを契機として、各機能部が、携帯電話２００のカメラを拡大鏡として利用するために必要な状態に同時に切り替わるので、利用者は、ワンタッチの操作で容易に携帯電話２００のカメラを拡大鏡として利用可能な状態にすることができる。
【００４５】
また、ここでは、携帯電話２００が、被写体を照光するためのライト１０６を有する場合を説明したが、サブ表示部２０７を、表示面が撮像部１１２の撮影方向と同方向に向けられるように設置し、点灯時にライト１０６の代用として用いるようにしてもよい。これにより、ライト１０６が不要となり、携帯電話２００の製造にかかるコストを低減することができる。
【００４６】
また、ここでは、撮像部１１２によって撮影された映像を表示部１０５に拡大して出力することによって、携帯電話２００のカメラを拡大鏡として利用する場合について説明したが、逆に、撮像部１１２が撮影した映像を表示部１０５に縮小して出力するようにしてもよい。すなわち、利用者から操作されることによって、拡大鏡スイッチ兼焦点切替部２１１が、撮影モードを通常モードから近距離撮影用の接写モードに切り替えるとともに、縮小モードの設定を指示し、この指示を受けた制御部２３０がズーム処理部１１３を制御してズーム倍率を縮小する。これにより、通常のカメラ利用時に比べて広い範囲の映像を表示部１０５に出力することが可能になり、例えば、撮影したい被写体の映像が表示部１０５に納まりきらなかった場合などに、利用者は、ワンタッチの操作で被写体の広い範囲を表示および撮影することができる。
【００４７】
また、拡大鏡スイッチ兼焦点切替部２１１として少なくとも三つ以上の状態を切り替えることが可能なスイッチを用いることによって、通常利用状態と、拡大鏡利用状態と、縮小表示利用状態の三つの状態の切り替えが可能になるよう構成してもよい。これにより、利用者が、カメラを拡大鏡として利用するか、縮小表示で利用するかを、用途に合わせてワンタッチの操作で選択することが可能となり、携帯電話２００のカメラの利便性をさらに向上することができる。
【００４８】
次に、本実施例１に係る携帯電話の一例について説明する。図２は、本実施例１に係る携帯電話２００の一例を示す斜視図である。同図に示す携帯電話２００は、シェルタイプのカメラ付き携帯電話であり、第一の筐体１０と、第二の筐体２０とを有している。第一の筐体１０と第二の筐体２０とは、ヒンジ部２０８を介して連結されており、ヒンジ部２０８を軸として回動自在に動くことで折り畳み可能に構成されている。同図の左側の図は、開かれた状態の携帯電話２００を示しており、右側の図は、折り畳まれた状態の携帯電話２００を示している。
【００４９】
第一の筐体１０は、受話用に用いられ、折り畳んだ際に内側となる面にレシーバー１０２や表示部１０５を備え、外側となる面に撮像部（カメラ）１１２やサブ表示部２０７を備える。また、第一の筐体１０は、アンテナ１０３やカメラ部２１０を内蔵している。
【００５０】
ここで、同図に示すように、第一の筐体１０が、表示面が撮像部１１２の撮影方向と同方向に向くようにサブ表示部２０７を備えることによって、点灯時の放射光を利用して、サブ表示部２０７をライト１０６の代用として用いることができる。
【００５１】
さらに、第一の筐体１０は、上面に、カメラ部２１０の一部として、拡大鏡スイッチ兼焦点切替部２１１を備える。ここで、拡大鏡スイッチ兼焦点切替部２１１は、同図に示すようなスライド式のスイッチであり、切り替えレバー２１１ａが一方の端点から他方の端点に移動されることにより、携帯電話２００の状態を通常利用状態または拡大鏡利用状態に切り替えることができる。
【００５２】
一方、第二の筐体２０は、送話用に用いられ、折り畳んだ際に内側となる面にキーボード１０１を備えている。また、第二の筐体２０は、マイク１０４や通信部１２０、制御部２３０、フレームレート制御部２４０を内蔵している。
【００５３】
なお、ここでは、拡大鏡スイッチ兼焦点切替部２１１を第一の筐体の上面に配置した場合を説明したが、拡大鏡スイッチ兼焦点切替部２１１を配置する箇所は、これに限られず、スイッチの切り替えと連動してレンズを移動可能な箇所であればいずれでもよい。
【００５４】
また、ここでは、拡大鏡スイッチ兼焦点切替部２１１がスライド式のスイッチである場合を説明したが、拡大鏡スイッチ兼焦点切替部２１１は、これに限られず、押しボタン式のスイッチなど他の形式のスイッチでもよい。
【００５５】
また、ここでは、携帯電話２００がシェルタイプの携帯電話である場合について説明したが、本発明はこれに限定されるものではなく、例えばストレートタイプやフリップタイプの携帯電話にも同様に適用することができる。
【００５６】
次に、本実施例１に係る携帯電話２００による拡大鏡モード設定時の処理手順について説明する。図３は、本実施例１に係る携帯電話２００による拡大鏡モード設定時の処理手順を示すフローチャートである。同図に示すように、携帯電話２００は、利用者からの操作によって拡大鏡スイッチ兼焦点切替部２１１が拡大鏡利用状態に切り替えられると（ステップＳ１０１，Ｙｅｓ）、この操作に連動して、拡大鏡スイッチ兼焦点切替部２１１が、撮影モードを接写モードに切り替え（ステップＳ１０２）、制御部２３０が、ライト１０６（またはサブ表示部２０７）を点灯し（ステップＳ１０３）、撮像部１１２が、撮影映像のズーム処理部１１３への内部出力を開始する（ステップＳ１０４）。
【００５７】
そして、フレームレート制御部２４０が、撮像部１１２からズーム処理部１１３に出力される撮影映像のフレームレートを所定のレート値に固定し（ステップＳ１０５）、ズーム処理部１１３が、撮像部１１２から出力される撮影映像を所定のズーム倍率に拡大して画像処理部２１４に出力し（ステップＳ１０６）、さらに、画像処理部２１４が、ズーム処理部１１３から出力される撮影映像の加工処理を行い（ステップＳ１０７）、加工後の撮影映像を表示部１０５に出力する（ステップＳ１０８）。
【００５８】
このように、拡大鏡スイッチ兼焦点切替部２１１が拡大鏡利用状態に切り替えられたことを契機として、ライト１０６が点灯されるとともに、撮影映像が表示部１０５に表示され、同時に、表示された映像に対する処理（フレームレートの固定、映像の加工処理）が行われるので、利用者は、ワンタッチの操作で容易に携帯電話２００のカメラを拡大鏡として利用可能な状態にすることができる。
【００５９】
上述してきたように、本実施例１では、拡大鏡スイッチ兼焦点切替部２１１が、撮像部１１２と被写体との焦点距離を通常撮影用の焦点距離から接写撮影用の焦点距離に切り替え、この切り替えに応じて、拡大鏡スイッチ兼焦点切替部２１１が撮影モードを接写モードに切り替え、制御部２３０が補助光となるライト１０６を点灯し、撮像部１１２が撮影映像の表示部１０５への出力を開始し、ズーム処理部１１３が撮像部１１２から出力される映像をデジタルズームで拡大し、さらに、フレームレート制御部２４０が撮影映像のフレームレートを固定し、画像処理部２１４が撮影映像の加工処理を行うので、ディスプレイに表示された画像を、利用者がワンタッチの容易な操作で拡大することが可能になり、撮像装置を拡大鏡等として容易に利用することができる。また、これにより、煩雑な操作を敬遠するユーザや、視力の衰えにより拡大鏡を利用しないと小さな字が読みづらいシニアユーザ等にとって、カメラ付きの携帯端末装置の利用価値を向上することができる。
【実施例２】
【００６０】
ところで、近年の携帯電話に備えられたカメラは、拡大鏡として利用されるだけではなく、例えば、通常の接写撮影や、ＱＲ（Quick Response）コードやバーコードなどを読み取るコードリーダーとして利用される場合もある。そこで、本実施例２では、拡大鏡スイッチ兼焦点切替部２１１への利用者による操作を契機として、各種の機能を選択するための機能選択メニューを表示部１０５に表示する場合について説明する。ただし、実施例２に係る携帯電話は、基本的には、実施例１に係る携帯電話２００と同様の構成であり、制御部２３０が、拡大鏡スイッチ兼焦点切替部２１１から拡大鏡モードの設定を指示された際に機能選択メニューを表示し、利用者から選択された機能に応じた処理を行う点が異なるのみであるので、以下では、図４を用いて、本実施例２に係る携帯電話が表示する機能選択メニューについて説明する。
【００６１】
図４は、本実施例２に係る携帯電話が表示する機能選択メニューの一例を示す図である。同図に示す機能選択メニューは、携帯電話に備えられたカメラを拡大鏡、接写撮影、手書きメモおよびバーコードリーダーとして利用する場合の機能選択メニューの一例を示しており、利用者によって「拡大鏡」、「接写撮影」、「手書きメモ」、「バーコード読取り」のいずれかが選択された場合には、制御部２３０がそれぞれの機能に応じた処理を行う。また、「終了する」が選択された場合は、制御部２３０は機能選択メニューを終了し、例えば待ち受け画面など所定の画面を表示する。
【００６２】
例えば、制御部２３０は、「拡大鏡」が選択された場合には、実施例１で説明した拡大鏡モードの設定を行い、「接写撮影」が選択された場合には、ズーム処理部１１３を制御して、映像のズーム倍率を１倍に固定し、「バーコード読取り」が選択された場合には、撮像部１１２から出力された画像に基づいてバーコードの抽出および解釈を行う。
【００６３】
上述してきたように、本実施例２では、拡大鏡スイッチ兼焦点切替部２１１が拡大鏡利用状態に切り替えられたことを契機として、制御部２３０が、機能選択メニューを表示部１０５に表示し、利用者から選択された機能に応じた処理を行うので、カメラを用いて実現される各種機能を利用者が容易な操作で利用できる。
【実施例３】
【００６４】
ところで、上記実施例１および２で説明したように、携帯電話のカメラを拡大鏡として利用する際には、通常の利用時と比べて多くの機能部が動作する。そのため、拡大鏡利用時には、通常の利用時に比べて携帯電話の消費電力が増加することが考えられる。そこで、本実施例３では、拡大鏡利用状態のままで放置されていた場合に、携帯電話の消費電力を抑制する場合について説明する。
【００６５】
まず、本実施例３に係る携帯電話の構成について説明する。図５は、本実施例３に係る携帯電話の構成を示す機能ブロック図である。なお、ここでは説明の便宜上、図１に示した各部と同様の役割を果たす機能部については同一符号を付すこととしてその詳細な説明を省略する。
【００６６】
同図に示すように、この携帯電話３００は、各種操作を行うためのキーボード１０１と、通話時に相手の音声を出力するレシーバー１０２と、通話時や通信時に電波信号を送受信するアンテナ１０３と、利用者の音声を入力するマイク１０４と、各種情報を表示するディスプレイである表示部１０５と、撮影時に被写体を照光するためのライト１０６と、サブ表示部２０７と、被写体を撮影するカメラ部３１０と、電波信号の送受信を制御する通信部１２０と、各機能部を制御する制御部３３０と、フレームレート制御部２４０とを有する。
【００６７】
カメラ部３１０は、被写体を撮影するための機能部であり、拡大鏡スイッチ兼焦点切替部２１１と、撮像部１１２と、ズーム処理部１１３と、画像処理部２１４と、時間変化検出部３１５とを有する。
【００６８】
時間変化検出部３１５は、撮像部１１２から出力される映像を監視して、時間とともに映像が変化しているか否かを検出する処理部である。具体的には、この時間変化検出部３１５は、撮像部１１２から出力される映像を監視し、時間とともに映像が変化する差分量を検出し、検出した差分量が所定の範囲内であるか否かを確認する。そして、時間変化検出部３１５は、検出した差分量が、所定の測定時間の間、前述した所定の範囲内であった場合には、制御部３３０に対して、撮影中の映像が変化していないことを示す映像無変化通知を通知する。
【００６９】
制御部３３０は、携帯電話３００全体の制御を行う処理部であり、具体的には、機能部間の制御の移動やデータの受け渡し、アプリケーションの起動および停止などを行うことによって、携帯電話３００を一つの装置として機能させる。特に本発明に密接に関連して行う処理として、制御部３３０は、拡大鏡スイッチ兼焦点切替部２１１から拡大鏡モードの設定を指示されると、ライト１０６を点灯するとともに、撮像部１１２を制御して、撮影映像のズーム処理部１１３への内部出力を開始する。
【００７０】
これと同時に、制御部３３０は、フレームレート制御部２４０を制御して、撮像部１１２からズーム処理部１１３に出力される撮影映像のフレームレートを所定のレート値に固定する。続いて、制御部３３０は、ズーム処理部１１３を制御して、撮像部１１２が撮影した映像を所定のズーム倍率に拡大し、拡大された撮影映像を画像処理部２１４に出力する。さらに、制御部３３０は、画像処理部２１４を制御して、ズーム処理部１１３が拡大した撮影映像の加工処理を行い、加工後の撮影映像を表示部１０５に出力し、また、時間変化検出部３１５を制御して、撮像部１１２から出力される映像の時間変化の監視を開始する。
【００７１】
一方、拡大鏡スイッチ兼焦点切替部２１１から拡大鏡モードの解除を指示されると、制御部３３０は、ライト１０６を消灯し、撮像部１１２を制御して、撮影映像のズーム処理部１１３への出力を停止し、フレームレート制御部２４０を制御して、撮像部１１２からズーム処理部１１３に出力される映像のフレームレートを通常時のレート値に戻し、ズーム処理部１１３を制御して、画像処理部２１４に出力される撮影映像を通常時のズーム倍率に戻し、画像処理部２１４を制御して、表示部１０５に出力される撮影映像の加工処理を停止し、さらに、時間変化検出部３１５を制御して、撮像部１１２から出力される映像の時間変化の監視を停止する。
【００７２】
また、制御部３３０は、時間変化検出部３１５から映像無変化通知が通知された場合には、携帯電話３００が拡大鏡利用状態で放置されていると判断し、携帯電話３００の状態を、表示部１０５およびサブ表示部２０７のバックライトを暗くする等により電力消費が抑えられた省電力状態に切り替える。
【００７３】
上述してきたように、本実施例３では、時間変化検出部３１５が、撮像部１１２から出力される映像を監視して、時間とともに映像が変化しているか否かを検出し、映像が変化していないことが検出された場合に、制御部３３０が、携帯電話３００を省電力状態に切り替えるので、利用者が携帯電話の拡大鏡機能としての利用をやめた場合に、自動的に携帯電話の消費電力を抑制することができる。
【００７４】
なお、本実施例３では、制御部３３０は、映像無変化通知が通知された場合に、携帯電話３００を省電力モードの状態に切り替える場合を説明したが、例えば、スピーカ等を利用して警告音を鳴らすようにしてもよい。これにより、利用者に対して、携帯電話３００が拡大鏡利用状態のままで放置されていることを報知することができる。
【００７５】
また、上記した実施例では、携帯電話について説明したが、本発明はこれに限定されるものではなく、例えば、カメラを備えたＰＤＡやモバイルパソコンなどにも同様に適用することができる。
【００７６】
また、上記した実施例では、本発明を適用した携帯電話について説明したが、ここで説明した機能構成をソフトウェアによって実現することで、同様の機能を有する携帯電話の制御プログラムを得ることができる。そこで、この制御プログラムを実行する携帯電話４００について説明する。
【００７７】
図６は、本実施例１、２および３に係る制御プログラムを実行する携帯電話４００の構成を示す機能ブロック図である。同図に示すように、この携帯電話４００は、ＲＯＭ４１０と、ＣＰＵ４２０と、フラッシュメモリ４３０と、ディスプレイ４４０と、キーボード４５０と、レシーバー４６０と、マイク４７０と、無線通信回路４８０と、アンテナ４９０とを有する。
【００７８】
ＲＯＭ４１０は、プログラムやデータを格納する記憶装置であり、ＣＰＵ４２０は、ＲＯＭ４１０からプログラムを読み出して実行する中央処理装置である。フラッシュメモリ４３０は、プログラムやデータの読み出し、および、書き込みが可能な半導体メモリであり、例えば電話番号やメールアドレスなどのデータを記憶する。
【００７９】
ディスプレイ４４０は、各種情報の表示を行う液晶ディスプレイ（表示部）であり、キーボード４５０は、文字や数字を入力するためのボタンである。レシーバー４６０は、音声通話時の音声などを出力するためのスピーカであり、マイク４７０は、音声通話時に音声を入力するためのマイクである。
【００８０】
無線通信回路４８０は、アンテナ４９０を介して送信する電波を生成する処理や、アンテナ４９０を介して受信した電波から通信データを復元する処理を行う集積回路であり、アンテナ４９０は、電波を送信あるいは受信するためのアンテナである。
【００８１】
そして、この携帯電話４００において実行される制御プログラム４１１は、あらかじめＲＯＭ４１０に記憶されて、ＣＰＵ４２０によって制御プロセス４２１として実行される。
【００８２】
なお、制御プログラム４１１は、必ずしもＲＯＭ４１０に記憶されている必要はなく、例えば、あらかじめ、あるいはネットワークを介して他のコンピュータからダウンロードされて、フラッシュメモリ４３０に記憶されるとしてもよいし、メモリカードなど、着脱可能な外部記憶装置に記憶されるとしてもよい。
【００８３】
（付記１）被写体を撮影する撮像装置と、該撮像装置により撮影された画像を表示するディスプレイとを備えた携帯端末装置であって、
前記撮像装置と前記被写体との焦点距離を第一の焦点距離から第二の焦点距離に、あるいは第二の焦点距離から第一の焦点距離に切り替える焦点切替手段と、
前記焦点切替手段による焦点距離の切り替えに応じて、前記ディスプレイに表示される画像の表示倍率を変更する表示倍率変更手段と、
を備えたことを特徴とする携帯端末装置。
【００８４】
（付記２）前記表示倍率変更手段は、前記焦点切替手段により前記焦点距離が第一の焦点距離から第二の焦点距離に切り替えられた際に、前記ディスプレイに表示される画像の表示倍率を拡大することを特徴とする付記１に記載の携帯端末装置。
【００８５】
（付記３）前記表示倍率変更手段は、前記焦点切替手段により前記焦点距離が第一の焦点距離から第二の焦点距離に切り替えられた際に、前記ディスプレイに表示される画像の表示倍率を縮小することを特徴とする付記１に記載の携帯端末装置。
【００８６】
（付記４）前記焦点切替手段により前記焦点距離が第一の焦点距離から第二の焦点距離に切り替えられた際に、前記ディスプレイに表示される画像のフレームレートを所定のレート値以上になるように制御するフレームレート制御手段をさらに備えたことを特徴とする付記１、２または３に記載の携帯端末装置。
【００８７】
（付記５）前記焦点切替手段により前記焦点距離が第一の焦点距離から第二の焦点距離に切り替えられた際に、前記ディスプレイに表示される画像のフレームレートを所定のレート値に固定するフレームレート固定手段をさらに備えたことを特徴とする付記１、２または３に記載の携帯端末装置。
【００８８】
（付記６）前記焦点切替手段により前記焦点距離が第一の焦点距離から第二の焦点距離に切り替えられた際に、前記ディスプレイに表示される画像を加工する画像処理手段をさらに備えたことを特徴とする付記１〜５のいずれか一つに記載の携帯端末装置。
【００８９】
（付記７）前記焦点切替手段により前記焦点距離が第一の焦点距離から第二の焦点距離に切り替えられた際に、前記撮像装置を用いて前記ディスプレイに表示された画像を拡大する拡大鏡機能か、接写撮影機能か、または二次元コードリーダー機能かのいずれかを利用者が選択するための機能選択手段をさらに備え、
前記表示倍率変更手段は、前記機能選択手段により利用者が拡大鏡機能を選択した場合に、前記ディスプレイに表示される画像の表示倍率を変更することを特徴とする付記２に記載の携帯端末装置。
【００９０】
（付記８）前記焦点切替手段により前記焦点距離が第一の焦点距離から第二の焦点距離に切り替えられた際に点灯して前記被写体を照光する照光手段をさらに備えたことを特徴とする付記１〜７のいずれか一つに記載の携帯端末装置。
【００９１】
（付記９）前記照光手段は、前記撮像装置と同方向に表示面が向けられたサブディスプレイであることを特徴とする付記８に記載の携帯端末装置。
【００９２】
（付記１０）前記焦点切替手段により前記焦点距離が第一の焦点距離から第二の焦点距離に切り替えられた後に、前記撮像装置により撮影されている画像が所定の測定時間内で変化しているか否かを検出する時間変化検出手段と、
前記時間変化検出手段により、前記撮像装置により撮影されている画像が前記測定時間内で変化していないことが検出された場合に、省電力状態に切り替える省電力設定手段と、
をさらに備えたことを特徴とする付記１〜９のいずれか一つに記載の携帯端末装置。
【００９３】
（付記１１）前記焦点切替手段により前記焦点距離が第一の焦点距離から第二の焦点距離に切り替えられた後に、前記撮像装置により撮影されている画像が所定の測定時間内で変化しているか否かを検出する時間変化検出手段と、
前記時間変化検出手段により、前記撮像装置により撮影されている画像が前記測定時間内で変化していないことが検出された場合に、警告音を発する警告手段と、
をさらに備えたことを特徴とする付記１〜９のいずれか一つに記載の携帯端末装置。
【００９４】
（付記１２）前記第一の焦点距離は通常撮影用の焦点距離であり、前記第二の焦点距離は接写撮影用の焦点距離であることを特徴とする付記１〜１１のいずれか一つに記載の携帯端末装置。
【００９５】
（付記１３）被写体を撮影する撮像装置と、該撮像装置により撮影された画像を表示するディスプレイとを備えた携帯端末装置の制御装置であって、
前記撮像装置と前記被写体との焦点距離を第一の焦点距離から第二の焦点距離に、あるいは第二の焦点距離から第一の焦点距離に切り替える焦点切替手段と、
前記焦点切替手段による焦点距離の切り替えに応じて、前記ディスプレイに表示される画像の表示倍率を変更する表示倍率変更手段と、
を備えたことを特徴とする携帯端末装置の制御装置。
【００９６】
（付記１４）被写体を撮影する撮像装置と、該撮像装置により撮影された画像を表示するディスプレイとを備えた携帯端末装置の制御方法であって、
焦点切替手段を操作することにより前記撮像装置と前記被写体との焦点距離を第一の焦点距離または第二の焦点距離のいずれかに切り替える焦点切替工程と、
前記焦点切替工程による焦点距離の切り替えに応じて、前記ディスプレイに表示される画像の表示倍率を変更する表示倍率変更工程と、
を含んだことを特徴とする携帯端末装置の制御方法。
【００９７】
（付記１５）被写体を撮影する撮像装置と、該撮像装置により撮影された画像を表示するディスプレイとを備えた携帯端末装置の制御プログラムあって、
前記撮像装置と前記被写体との焦点距離を第一の焦点距離から第二の焦点距離に、あるいは第二の焦点距離から第一の焦点距離に切り替える焦点切替手順と、
前記焦点切替手順による焦点距離の切り替えに応じて、前記ディスプレイに表示される画像の表示倍率を変更する表示倍率変更手順と、
を前記携帯端末装置に実行させることを特徴とする携帯端末装置の制御プログラム。
【産業上の利用可能性】
【００９８】
以上のように、本発明に係る携帯端末装置、携帯端末装置の制御装置、制御方法および制御プログラムは、被写体を撮影する撮像装置と、撮像装置により撮影された映像を表示するディスプレイとを備えた携帯端末装置に有用であり、特に、容易な操作で撮像装置を拡大鏡等として利用したい場合に適している。
【図面の簡単な説明】
【００９９】
【図１】本実施例１に係る携帯電話の構成を示す機能ブロック図である。
【図２】本実施例１に係る携帯電話の一例を示す斜視図である。
【図３】本実施例１に係る携帯電話による拡大鏡モード設定時の処理手順を示すフローチャートである。
【図４】本実施例２に係る携帯電話が表示する機能選択メニューの一例を示す図である。
【図５】本実施例３に係る携帯電話の構成を示す機能ブロック図である。
【図６】本実施例１、２および３に係る制御プログラムを実行する携帯電話の構成を示す機能ブロック図である。
【図７】カメラを備えた従来の携帯電話の構成を示す機能ブロック図である。
【符号の説明】
【０１００】
１０    第一の筐体
２０    第二の筐体
１００，２００，３００，４００    携帯電話
１０１，４５０    キーボード
１０２，４６０    レシーバー
１０３，４９０    アンテナ
１０４，４７０    マイク
１０５    表示部
１０６    ライト
１１０，２１０，３１０    カメラ部
１１１    焦点切替部
１１２    撮像部
１１３    ズーム処理部
１２０    通信部
１３０，２３０，３３０    制御部
２０７    サブ表示部
２０８    ヒンジ部
２１１    拡大鏡スイッチ兼焦点切替部
２１１ａ    切り替えレバー
２１４    画像処理部
２４０    フレームレート制御部
３１５    時間変化検出部
４１０    ＲＯＭ
４１１    制御プログラム
４２０    ＣＰＵ
４２１    制御プロセス
４３０    フラッシュメモリ
４４０    ディスプレイ
４８０    無線通信回路
【図１】
2008005395.tif 000003
【図２】
2008005395.tif 000004
【図３】
2008005395.tif 000005
【図４】
2008005395.tif 000006
【図５】
2008005395.tif 000007
【図６】
2008005395.tif 000008
【図７】
2008005395.tif 000009